(57)【要約】【課題】止めねじを必要とせず前面板に対する屋根板の固定が容易で、外観を向上させることができるようにした鍵盤楽器の上前板固定構造を提供する。【解決手段】楽器本体２０の上面を形成する屋根板６の前端に固定部材２１を取付ける。固定部材２１は、前端面に被嵌合部２２を有し、この被嵌合部２２に対応して前面板４の裏面上端部に嵌合部２４を設ける。被嵌合部２２と嵌合部２４を嵌合させると、天井板６の前端を前面板４に固定することができる。【選択図】        図１
2004333693.tif 000002
【特許請求の範囲】
【請求項１】
楽器本体の前面を形成する上前板と前記楽器本体の上面を形成する屋根板とを固定する構造であって、
前記上前板と前記屋根板のいずれか一方に嵌合部を設け、他方に固定部材を設け、この固定部材に前記嵌合部が嵌合する被嵌合部を設けたことを特徴とする鍵盤楽器の屋根板固定構造。
【請求項２】
請求項１記載の鍵盤楽器の屋根板固定構造において、
前記嵌合部と前記被嵌合部を互いに嵌合し得る楔形に形成したことを特徴とする鍵盤楽器の屋根板固定構造。
【請求項３】
請求項１記載の鍵盤楽器の屋根板固定構造において、
前記嵌合部または前記固定部材に、前記屋根板の前後方向の取付位置を調整する調整手段を設けたことを特徴とする鍵盤楽器の屋根板固定構造。
【請求項４】
請求項１記載の鍵盤楽器の屋根板固定構造において、
前記固定部材の上面に譜面板スライド部を設けたことを特徴とする鍵盤楽器の屋根板固定構造。
【発明の詳細な説明】
【０００１】
【発明の属する技術分野】
本発明は、ピアノ、電子ピアノ等の鍵盤楽器の屋根板固定構造に関する。
【０００２】
【従来の技術】
鍵盤楽器、例えばグランドピアノ、グランド型電子楽器やアップライト型ピアノにおける屋根板の固定構造としては、図５に示すような構造が知られている。すなわち、同図において、符号１はアップライトピアノの楽器本体で、この楽器本体１は支柱２Ａ，２Ｂに左右に対向して固定された一対の側板３と、これらの側板３の前端間に配設され楽器本体１の前面を形成する上前板４と、前記支柱２Ａ，２Ｂの上端に複数本の止めねじ５Ａ，５Ｂによって固定され楽器本体１の上面を形成する天井板６等で構成されている。前方側の止めねじ５Ａは、前方側の支柱２Ａに対して屋根板６の上面からねじ込まれている。一方、後方側の止めねじ５Ｂは屋根板６の下面後端部に固定したＬ型金具７を支柱２Ｂに固定している。なお、屋根板６の上面前端部には譜面受け８と折畳み自在な譜面立て９が設置されている。
【０００３】
グランド型電子ピアノの場合も、屋根板を止めねじによって上方から楽器本体に固定するようにしたものが知られている（例えば、非特許文献１参照）。なお、出願人は本明細書に記載した先行技術文献情報で特定される先行技術文献以外には、本発明に密接に関連する先行技術文献を出願時までに見つけ出すことはできなかった。
【０００４】
【非特許文献１】
ヤマハ株式会社製  電子グランドピアノ  ＤＧＰ−２ＸＧ  １９９７年７月発売
【０００５】
【発明が解決しようとする課題】
しかしながら、図５に示した従来の屋根板固定構造（電子グランドピアノ  ＤＧＰ−２ＸＧも同様）は、支柱２Ａに対しては屋根板６の裏側から固定することができず上面側からねじ込まれる止めねじ５Ａを有しているので、ねじ頭が上面に現れピアノの外観を損ない好ましくないばかりか、組付けに際し屋根板６を支柱２Ａ，２Ｂおよび側板３の上に載置すると、支柱２Ａの位置が判らないために、屋根板６の位置決めが面倒で支柱２Ａに対する止めねじ５Ａの取付位置がばらつくという問題があった。
【０００６】
本発明は上記した従来の問題を解決するためになされたもので、その目的とするところは、止めねじを必要とせずに屋根板の固定が容易で、外観を向上させることができるようにした鍵盤楽器の上前板固定構造を提供することにある。
【０００７】
【課題を解決するための手段】
上記目的を達成するために第１の発明は、楽器本体の前面を形成する上前板と前記楽器本体の上面を形成する屋根板とを固定する構造であって、前記上前板と前記屋根板のいずれか一方に嵌合部を設け、他方に固定部材を設け、この固定部材に前記嵌合部が嵌合する被嵌合部を設けたものである。
【０００８】
第１の発明においては、嵌合部が固定部材の被嵌合部に嵌合することにより屋根板が前面板に対して固定されるので、止めねじを必要としない。嵌合部と被嵌合部はいずれか一方が突部で、他方が凹部であればよい。
【０００９】
第２の発明は、上記第１の発明において、前記嵌合部と前記被嵌合部を互いに嵌合し得る楔形に形成したものである。
【００１０】
第２の発明においては、嵌合部が被嵌合部に楔作用によって確実に結合し、がたついたりすることがない。
【００１１】
第３の発明は、上記第１の発明において、前記嵌合部または前記固定部材に、前記屋根板の前後方向の取付位置を調整する調整手段を設けたものである。
【００１２】
第３の発明においては、調整手段が屋根板の前後方向を位置決めし、嵌合部と被嵌合部を確実に結合させる。
第４の発明は、上記第１の発明において、前記固定部材の上面に譜面板スライド部を設けたものである。
【００１３】
第４の発明においては、譜面板スライド部が譜面板を受け止め支持する。
【００１４】
【発明の実施の形態】
以下、本発明を図面に示す実施の形態に基づいて詳細に説明する。
図１は本発明に係る鍵盤楽器の屋根板固定構造をグランド型のピアノに適用した第１の実施の形態を示す断面図である。なお、従来技術の欄で示した構成部材と同等のものについては、同一符号をもって示し、その説明を適宜省略する。これらの図において、グランド型ピアノの楽器本体２０は、前後方向に離間して立設された支柱２Ａ，２Ｂに左右に対向して固定され楽器本体２０の両側面を形成する一対の側板３と、これらの側板３の前端間に配設され楽器本体２０の前面を形成する上前板４と、楽器本体２０の上面を形成する天井板６等で構成されている。天井板６は、前端が前記前面板４に対して固定部材２１によって固定され、後端が止めねじ５Ｂによって後方側の支柱２ＢにＬ型金具７を介して固定され、前方側の支柱２Ａに対しては図５に示したような止めねじ５Ａによって固定されていない。
【００１５】
前記固定部材２１は、前面板４の幅と略等しい長さを有し、前端面と後端面に矩形の被嵌合部２２，２３がそれぞれ形成されている。前方側の被嵌合部２２は、前面板４の裏面上端部に突設した矩形のブロックからなる嵌合部２４に後方から着脱可能に嵌合することにより、天井板６を前面板４に固定している。後端側の被嵌合部２３は、天井板６の前端に嵌合している。嵌合部２４は、前面板４の幅と略等しい１本のレール状に形成されているが、これに限らず複数個、例えば３個に分割形成し、前面板４の両端部と中央部に固定するものであってもよい。また、嵌合部２４の表面には、フェルト、クロス、人工皮革等のクッション材２５が貼着されており、これにより被嵌合部２２と嵌合部２４のはめあいの寸法精度を高め、がたつきを防止するようにしている。なお、クッション材２５は嵌合部２４に限らず被嵌合部２２側に貼着されるものであってもよい。また、固定部材２１の上面には、左右方向に長い溝からなる譜面板スライド部２７が形成されており、この譜面板スライド部２７によって譜面板２６の下端を受け止めて支持するスライド部材２８をスライド自在かつ着脱自在に支持している。そして、固定部材２１の上面で前記譜面板スライド部２７よりも前方部分は、譜面受け部３３を形成している。
【００１６】
このような固定部材２１は、合成樹脂またはアルミニウム合金によって天井板６の製造時にこれと一体に製作されるか、または天井板６とは別個に製作された後、被嵌合部２３を天井板６の前端に嵌合し接着剤、止めねじ等によって固定する。止めねじを用いる場合は、天井板６の裏面側からねじ込む。
【００１７】
このような天井板６の固定構造においては、図５に示した従来構造のように天井板６を支柱２Ａに対して上方から止めねじ５Ａによって固定する必要がないので、楽器本体２０の外観を向上させることができる。
【００１８】
また、天井板６を支柱２Ａ，２Ｂおよび側板３の上に載置して前方に移動させ、被嵌合部２２を嵌合部２４に後方から嵌合するだけでよいので、前面板４に対する屋根板６の固定作業も簡単かつ容易である。
【００１９】
さらに、固定部材２１は溝からなる譜面板スライド部２７を備えているので、譜面板２６の取付けが容易で、ヒンジ等を用いて取付ける必要がなく、部品点数を削減することができる。
【００２０】
図２は本発明の第２の実施の形態を示す断面図である。
この実施の形態は、天井板６を前面板４に固定する固定部材３０を板状に形成し、その下面の前後方向中央に断面鈎型（Ｌ字型）の係合片３１を前方に開放するように一体に設け、上面に段部からなる譜面受け３３を一体に突設している。固定部材３０の下面と係合片３１とによって囲まれた空間は被嵌合部３２を形成している。
【００２１】
前面板４の裏面上端部に突設される嵌合部２４の先端面には、天井板６の前後方向の位置調整を行う調整手段３５が取付けられている。この調整手段３５はねじからなり、頭部に前記係合片３１の垂直な内側面３１ａが当接することにより、固定部材３０の前後方向を位置決めする。この場合、ねじ３５を嵌合部２４側に取付けた例を示したが、これに限らず係合片３１側に取付けることも可能であり、その場合はねじ３５の先端を嵌合部２４の先端面に当接させるようにすればよい。
【００２２】
このような固定構造においては、予め調整手段３５を回転させて嵌合部２４からの突出寸法を調整しておくと、屋根板６の前後方向の位置を微調整することができる。
【００２３】
図３は本発明の第３の実施の形態を示す断面図である。
この実施の形態は、固定部材２１の前端面に形成される被嵌合部２２’と、屋根板４に突設される嵌合部２４’を、互いに嵌合し得る断面楔形（台形）に形成したものであり、その他の構造は上記した第１の実施の形態と略同一である。
【００２４】
このような固定構造においては、被嵌合部２２’に嵌合部２４’を嵌合させていくにしたがって楔作用により圧締力が増大するため、寸法精度が多少低くても確実に結合することができ、がたつきを防止することができる。
【００２５】
図４は本発明の第４の実施の形態を示す断面図である。
この実施の形態は、固定部材３０の下面側に係合片３１の突設によって形成される被嵌合部３２’と、前面板４に突設される嵌合部３４’を、互いに嵌合し得る楔状（台形）に形成したものであり、その他の構造は上記した第２の実施の形態と略同一である。
【００２６】
このような固定構造においても、被嵌合部３２’に嵌合部３４’を嵌合させていくにしたがって楔作用により圧締力が増大するため、上記した第３の実施の形態と同様な効果が得られる。
また、被嵌合部３２’と嵌合部３４’はきつく嵌合してそれ以上嵌合部３４’が被嵌合部３２に入らなくなると、屋根板６の前後方向が位置決めされるため、格別な調整手段を設ける必要がない。
【００２７】
なお、上記した実施の形態においてはは、いずれもグランド型ピアノの屋根板６に適用した例を示したが、本発明はこれに何ら限定されるものではなく、アップライト型のピアノの屋根板にも適用することが可能である。
また、上記実施の形態においては、いずれも上前板４に嵌合部を突設し、屋根板６に前記嵌合部が嵌合する被嵌合部を有する固定部材２１または３０を取付けたが、この逆であってもよい。
【００２８】
【発明の効果】
以上説明したように本発明に係る鍵盤楽器の屋根板固定構造によれば、前面板に対して屋根板を確実に固定することができ、また嵌合部と被嵌合部との嵌合によって固定しているのでねじを用いる必要がなく、鍵盤楽器の外観を向上させることができる。
【００２９】
また、固定部材は譜面板スライド部を備えているため、譜面板を取付けるための格別な部品を必要とせず、部品点数を削減することができる。
【００３０】
また、調整手段を備えているので、屋根板の前後方向の位置を微調整することができ、所望の位置に確実に固定することができる。
【００３１】
さらに、被嵌合部と嵌合部は楔作用によって嵌合するので、圧締力が大きくより一層確実に結合することができ、がたつきを防止することができる。
【図面の簡単な説明】
【図１】本発明に係る鍵盤楽器の屋根板固定構造をグランド型のピアノに適用した第１の実施の形態を示す断面図である。
【図２】本発明の第２の実施の形態を示す断面図である。
【図３】本発明の第３の実施の形態を示す断面図である。
【図４】本発明の第４の実施の形態を示す斜視図である。
【図５】グランド型ピアノの天井板の固定構造の従来例を示す断面図である。
【符号の説明】
１…楽器本体、２Ａ，２Ｂ…支柱、３…側板、４…前面板、６…屋根板、２１…固定部材、２２，２２’２３，…被嵌合部、２４，２４’…嵌合部、２７…譜面板スライド部、３０…固定部材、３２，３２’…被嵌合部、３４’…嵌合部、３５…調整手段。
【図１】
2004333693.tif 000003
【図２】
2004333693.tif 000004
【図３】
2004333693.tif 000005
【図４】
2004333693.tif 000006
【図５】
2004333693.tif 000007